(57)【要約】【課題】例えば、比較的小規模な田畑や家庭菜園においても低コストで利用でき、使用者の疲労を低減できると共に、効率良く且つ安全で確実に農薬や肥料の噴霧作業ができる農業用噴霧装置を提供する。【解決手段】回転軸ｓが共通する一対の車輪Ｗと、係る一対の車輪Ｗの上方に取り付けられ、タンクＴを収納できる収納部２と、係る収納部２の下方から上記回転軸ｓと直交する斜め上の方向に延びた一対のアーム１１，１２、および係るアーム１１，１２の先端に配置された持ち手１３を含む牽引枠１０と、係る牽引枠１０における一対のアーム１１，１２の長手方向の中間に取れ付けられた方向自在輪２８と、を含み、係る方向自在輪２８は、一対の上記アーム１１，１２間において、斜め下方向に沿ってスライド可能な支持却２０を介して取り付けられている、農業用噴霧装置１。【選択図】  図１
0003161267.tif 000002
【実用新案登録請求の範囲】
【請求項１】
回転軸が共通する一対の車輪と、
上記一対の車輪の上方に取り付けられ、タンクを収納できる収納部と、
上記収納部の下方または側面から上記回転軸と直交する斜め上の方向に延びた一対のアーム、および該アームの先端に配置された持ち手を含む牽引枠と、
上記牽引枠における一対のアーム間に取れ付けられた方向自在輪と、を含む、
ことを特徴とする農業用噴霧装置。
【請求項２】
前記方向自在輪は、前記牽引枠における一対のアーム間において、垂直方向または斜め下方向に沿ってスライド可能な支持却を介して取り付けられている、
ことを特徴とする請求項１に記載の農業用噴霧装置。
【請求項３】
前記方向自在輪の軸受部は、前記支持却の軸方向を含む面に対して、傾動可能である、
ことを特徴とする請求項２に記載の農業用噴霧装置。
【請求項４】
前記牽引枠の持ち手付近には、水平方向に回転可能な操作レバーが配置され、該レバーに一端が結合されたワイヤの他端は、前記車輪に周面に接触および離脱可能なブレーキ片を取り付けた回転棒に固定されたリンク片に結合されている、
ことを特徴とする請求項１乃至３の何れか一項に記載の農業用噴霧装置。
【請求項５】
前記牽引枠は、前記収納部に対して接近および離間するように垂直方向に沿って回転可能であると共に、上記牽引枠における一対のアーム間には、垂直方向に沿って旋回可能な補助却が取り付けられている、
ことを特徴とする請求項１乃至４の何れか一項に記載の農業用噴霧装置。
【考案の詳細な説明】
【技術分野】
【０００１】
本考案は、畑などに対し、例えば、除草用の液状または粉状の農薬、あるいは、発芽や生育を促進するための液状または粉状の肥料を噴霧するため農業用噴霧装置に関する。
【背景技術】
【０００２】
従来、田畑に液状または粉状の農薬剤や肥料を噴霧、あるいは散布する場合、農薬剤などが充填された重いタンクをバンドによって作業者の肩に掛けたり、背中に背負ったりした状態で、ポンプを稼働させて上記タンクから延び出たホースの先端に取り付けたノズルを片手で持ちつつ、噴霧対象である畝などの作付け部分に対して、上記農薬剤などを噴霧や散布していた（例えば、特許文献１参照）。
【０００３】
しかし、前記のように、農薬剤あるいは肥料が充填されたタンクを肩掛けしたり、背負って姿勢で施薬や施肥作業した場合、老若男女を問わず重労働となって、多大な疲労が必要となる。しかも、係る疲労に起因して、施薬や施肥の作業能率が低下すると共に、更には、誤って農薬などを不要な畝場に無駄に噴霧したり、あるいは身体の一部に農薬を噴霧してしまう危険性があった。このような問題点は、いわゆる専業農家に限らず、比較的小規模な兼業農家や、家庭菜園などの少面積の田畑を耕作している個人の場合でも、同じであった。
一方、前記疲労を解消するため、軽自動車などの側面ごとに垂直方向に沿って旋回可能な噴射ノズルを取り付け、該ノズルを介して荷台上に積載したタンクなどから除草剤などを散布する装置も提案されている（例えば、特許文献２参照）。
しかし、上記散布装置は、少なくとも軽車両が必要となるため、比較的小規模な兼業農家や家庭菜園などを営む個人などには、コスト高のため不向きであった。
【先行技術文献】
【特許文献】
【０００４】
【特許文献１】特開２００１−１７８３４６号公報（第１〜６頁、図１〜９）
【特許文献２】実公平０５−１７１８１号公報（第１〜５頁、第１〜３図）
【考案の概要】
【考案が解決しようとする課題】
【０００５】
本考案は、背景技術において説明した問題点を解決し、比較的小規模な田畑や家庭菜園でも低コストで利用でき、使用者の疲労を低減できると共に、効率良く且つ安全で確実に農薬や肥料の噴霧作業ができる農業用噴霧装置を提供する、ことを課題とする。
【課題を解決するための手段および考案の効果】
【０００６】
本考案は、液状または粉末状の農薬または肥料を充填したタンクを手押し式のキャリーバッグ（通称）に載せ、該バッグと共に作業者が歩行しながら手操作で対象の畝などに施薬あるいは施肥を行う、ことに着想して成されたものである。
即ち、本考案の農業用噴霧装置（請求項１）は、回転軸が共通する一対の車輪と、係る一対の車輪の上方に取り付けられ、タンクを収納できる収納部と、係る収納部の下方または側面から上記回転軸と直交する斜め上の方向に延びた一対のアーム、および該アームの先端に配置された持ち手を含む牽引枠と、係る牽引枠における一対のアーム間に取れ付けられた方向自在輪と、を含む、ことを特徴とする。
【０００７】
これによれば、一対の車輪と牽引枠のアーム間に取り付けた方向自在輪との少なくとも３個の車輪によって、農薬などを充填したタンクを、牽引枠の持ち手を片手で牽引つつ畑の畝間などの凸凹路を搬送しながら、残りの片手で上記タンクに連通するノズルを操作して、噴霧すべき作付け面に対し、効率良く確実に噴霧できる。しかも、噴霧装置全体の構造が簡素で且つ構成部品も比較的少ないため、老若男女を問わず、所謂キャリーバッグを搬送する感覚により、少ない労力で農薬などを噴霧できる。更に、低コストに製作し得るので、比較的小規模の兼業農家や、個人の家庭菜園などに対しても、容易に採用することが可能である。
【０００８】
尚、本考案では、液状の農薬や肥料に限らず、粉末状の農薬や肥料を散布することについても「噴霧する」ことに含まれている。
また、本考案の農業用噴霧装置は、主に畑や陸稲の田を噴霧の対象とするが、水の無い水田や、比較的少ない時期の水田に対しても適用可能である。
更に、前記タンクの収納部は、例えば、上面が開口した篭枠状のほか、箱形状の形態、あるいは複数の縦形のガイド枠を対称に立設した形態としても良い。
また、タンクには、充填した農薬や肥料を田畑に噴霧するためのノズルを先端に有するホースの一端が連通し、該タンクの側面などには、ノズルに農薬などを圧送するポンプ、モータ、電源などを内蔵するユニットを取り付けても良い。
更に、前記方向自在輪は、１個としても２個としても良い。
【０００９】
また、本考案には、前記方向自在輪は、前記牽引枠における一対のアーム間において、垂直方向または斜め下方向に沿ってスライド可能な支持却を介して取り付けられている、農業用噴霧装置（請求項２）も含まれる。
これによれば、方向自在輪を支持する支持脚を牽引枠の各アームに対してスライドさせ、方向自在輪と牽引枠における一対のアームとの距離（高さ）を容易に調整することができる。従って、噴霧作業を行う人の身長や体格などに合わせて、牽引枠の持ち手の高さを変更できると共に、重量なタンクとのバランスを取りつつ、安全且つ快適に噴霧祖業を行うことも可能となる。
【００１０】
更に、本考案には、前記方向自在輪の軸受部は、前記支持却の軸方向を含む面（垂直面）に対して、傾動可能である、農業用噴霧装置（請求項３）も含まれる。
これによれば、支持脚を牽引枠のアームに対してスライドさせ、牽引枠の高さを調整した際に、垂直方向に対する方向自在輪の軸受部の取り付け角度を変更できるので、かかる方向自在輪の滑らかな転動を常に確保することができる。
【００１１】
また、本考案には、前記牽引枠の持ち手付近には、水平方向に回転可能な操作レバーが配置され、該レバーに一端が結合されたワイヤの他端は、前記車輪に周面に接触および離脱可能なブレーキ片を取り付けた回転棒に固定されたリンク片に結合されている、農業用噴霧装置（請求項４）も含まれる。
これによれば、牽引枠の持ち手を片手で保持した状態で、その片手の指で操作レバーを作業者寄りに引っ張ることにより、該レバーに結合されたワイヤーと該ワイヤーの他端が結合されたリンク片とを介して、回転棒を回転させ、かかる回転棒の両端に固定した一対のブレーキ片を、一対の車輪の周面に個別に接触させて、該一対の車輪を迅速且つ確実にロックできる。例えば、畝間の凹凸路において、搬送時にバランスを失いかけた際に、直ちに操作レバーを引き、停止状態として、バランスを容易に取り戻すことができる。従って、作業者の安全が図れ、農薬や肥料の不用意な噴霧ないし散逸を、確実に阻止することが可能となる。
【００１２】
更に、本考案には、前記牽引枠は、前記収納部に対して接近および離間するように垂直方向に沿って回転可能であると共に、上記牽引枠における一対のアーム間には、垂直方向に沿って旋回可能な補助却が取り付けられている、農業用噴霧装置（請求項５）も含まれる。
これによれば、本噴霧装置の不使用時に、牽引枠を収納部に対して接近するように回転（折り畳み）し、且つその姿勢で補助脚を接地させることで、農業用噴霧装置をコンパクトにし、狭いスペースで容易に保管することができる。この際、前記支持脚をスライドさせ、併せて方向自在車輪が突出しないようにもできる。
尚、前記補助却は、１個あるいは２個以上としても良い。
【図面の簡単な説明】
【００１３】
【図１】本考案による一形態の農業用噴霧装置を示す斜視図。
【図２】上記農業用噴霧装置を示す側面図。
【図３】上記農業用噴霧装置を示す正面図。
【図４】上記農業用噴霧装置の支持脚および方向自在輪の付近を示す拡大図。
【図５】上記農業用噴霧装置のブレーキ系統を示す概略図。
【図６】上記ブレーキ系統のブレーキ作動時の状態を示す概略図。
【図７】上記農業用噴霧装置の牽引枠を折り畳む状態を示す概略図。
【図８】上記牽引枠を折り畳んだ後、補助脚を接地させた状態を示す概略図。
【図９】上記農業用噴霧装置の使用状態を示す側面図。
【図１０】上記農業用噴霧装置の使用状態を示す正面図。
【考案を実施するための形態】
【００１４】
以下において、本考案を実施するための形態について説明する。
図１は、本考案による一形態の農業用噴霧装置１を示す斜視図、図２は、その側面図、図３は、上記農業用噴霧装置１の正面図である。尚、便宜上、図１，２および後述する図５〜９においては、右側を前側と称し、左側を後側と称する。
農業用噴霧装置１は、図１〜図３に示すように、左右一対の車輪Ｗと、これらの上方に取り付けられ、タンクＴを収納できる収納部２と、係る収納部２の前側面の下方から斜め上方向に平行に延びた左右一対のアーム１１，１２、および係るアーム１１，１２の先端に直角に配置された持ち手１３を含む牽引枠１０と、上記アーム１１，１２間で且つこれらの長手方向の中間に取り付けられ、且つ斜め下向きに延びた支持脚２０の下端に取り付けられた方向自在輪２８と、を備えている。
左右一対の車輪Ｗは、回転軸ｓが共通しており、且つ水平な軸受管Ｓを貫通する上記回転軸ｓの両端に取り付けられている。軸受管Ｓには、その斜め前方と斜め後方とに向かって上方に延びたほぼ逆Ｕ字形の枠３，４が固定され、係る枠３，４間には、前後方向に沿った左右一対の支持帯５が水平に張設されている。尚、一対の車輪Ｗ，Ｗの間隔は、畝などに挟まれた凹凸路の幅の最少値に設定されている。
【００１５】
図１，図３に示すように、一対の車輪Ｗと回転軸ｓとの上方には、前記枠３，４と、これらから個別に立設した左右一対ずつの縦枠６，７と、係る縦枠６，７の上端間に固定されたほぼ四角形の水平枠８とからなり、全体がほぼ縦長の直方体である収納部２が取り付けられている。この収納部２には、タンクＴが上方の開口部から出し入れ可能に収納される。係るタンクＴは、例えば、液状の農薬を充填した直方体状の容器で、上端面に農薬の入口を塞ぐキャップｃとが設けられ、前側の側面に位置する垂直な凹部には、ノズルＮに農薬などを圧送するためのポンプ、モータ、電源(何れも図示せず)などを内蔵するユニットＵが嵌め込まれている。該ユニットＵの下部からは、ノズルＮに連通するホースＨが延びている。
尚、収納部２における後側の縦枠７，７の外側には、ほぼ垂直の姿勢とした上記ノズルＮの基部を収納できる箱９が取り付けられ、その真上には、ノズルＮの中間部を支えるほぼコ字形の支え枠８ａが、水平枠８の後方に固定されている。
【００１６】
図１〜図３に示すように、牽引枠１０を構成する一対のアーム１１，１２の基端部１１ａ，１２ａは、枠４の中間に対し回転可能に取り付けられ、持ち手１３の中央に設けた滑り止めを兼ねるグリップ１４を、収納部２側に押すことで、牽引枠１０全体を収納部１０に接近させて折り畳み、あるいは離れさせて図示のように伸長することができる。一対のアーム１１，１２における長手方向の中間には、これらと直角で且つ水平な枠１５が固定され、係る枠１５の中間には平板１６がやや斜めに固定され、係る平板１６の中央には、ほぼ垂直方向に沿ってパイプ１７が固定されている。係るパイプ１７の中空部には、支持脚２０が貫通し、係る支持脚２０は、上記パイプ１７に対し、軸方向に沿ってスライド可能とされている。即ち、支持脚２０には、複数の孔１９が軸方向に沿って設けられ、上記パイプ１７を外側からネジ結合しつつ貫通する摘み付きのボルト１８の先端部が何れかの孔１９に進入することで、牽引枠１０を含むパイプ１７に対し、支持脚２０が軸方向に沿ってスライドし且つ任意の位置で固定可能とされている。
【００１７】
図１〜図３に示すように、支持脚２０の下端には、方向自在輪２８、これを軸支するホルダ２７、および該ホルダ２７を回転自在にして底面に取り付けた軸受部２１が取り付けられている。後述するように、軸受部２１は、支持脚２０の軸方向を含む面（垂直面）に対する角度が変更可能され、所望の連結角度において、方向自在輪２８を含む軸受部２１を固定可能とされている。
【００１８】
図１〜図３に示すように、牽引枠１０のアーム１１，１２の外側には、垂直方向に沿って回転する回転板３１，３２がピン結合され、これらの間には、操作レバー３３が水平に架設されている。一方の回転板３２には、側面視がほぼチャンネル形の旋回板３４における前側の下端部が回転可能に取り付けられ、係る旋回板３４における後側の下端部には、ワイヤー３０の一端が結合されている。係るワイヤー３０は、一方のアーム１２の外側に沿って配置され、その他端は、前記枠４に対し回転可能に取り付けられた正面視がほぼ逆Ｕ字形の回転棒３６から径方向に突設されたリンク片３７の先端に結合されている。
尚、後述するように、上記回転棒３６の両端には、側面視がほぼ逆Ｌ字形のブレーキ片４０がそれぞれ取り付けられ、上記ワイヤー３０の移動によって、一対の車輪Ｗの周面に接触可能とされている。また、係るブレーキ状態を保つため、操作レバー３３を持ち手１３側に引いた際に、上向きに回転して当該操作レバー３３をロックする爪片３５ａを有するロック片３５が、アーム１２の内側において垂直方向に沿って回転可能に取り付けられている。
【００１９】
図１〜図３に示すように、牽引枠１０のアーム１１，１２間に配置された前記平板１６の後側面には、平面視がほぼコ字形の枠４１の先端部が固定され、係る枠４１における両側の後端部は、アーム１１，１２の内側に固定されている。係る枠４１は、前記枠１５と共に平板１６を所定の姿勢に保つための補強材である。
上記枠４１の各後端部付近のアーム１１，１２には、断面ほぼ逆Ｌ字形で下向きに開口した枠材４２が取り付けられ、該枠材４２の下端縁には丁番４６を介して回転結合し、且つ接近および離間可能な断面ほぼＬ形の枠材４４が取り付けられている。係る枠材４２，４４は、両者における前側の垂直片を貫通する摘み付きの留め棒４３により、折り畳んだ際に箱形状とされ、留め棒４３を前側に引くことで、枠材４４のみをフリーにして下向きに回転させられる。係る枠材４４の底面には、左右一対の支脚４９が垂下し、これら毎の下端にほぼ釣鐘形状の補助脚５０が取り付けられている。
上記一対の補助脚５０は、硬質ゴムなどからなり、後述するように、前記牽引枠１０を収納部２側に回転させて折り畳んだ状態で、上記操作により、枠材４４と共に枠材４２から離間して下降し、地面に接地することで、不使用時において、本農業用噴霧装置１を縦長の姿勢で且つコンパクトに保管する際に活用される。
【００２０】
図４は、支持脚２０、軸受部２１、および方向自在輪２８付近の拡大図である。
支持脚２０は、その軸方向に沿って開設した複数の孔１９の何れかに、パイプ１７を貫通する摘み付きボルト１８の先端部を進入させることで、図４中の直線の矢印で示すように、パイプ１７を含む前記牽引枠１０に対して、ほぼ垂直方向に沿ってスライド可能とされている。
また、支持脚２０の下端には、前後方向に沿って支持板２２，２４が溶着され、これらに隣接して軸受部２１の上面に、支持板２３，２５が垂直に溶着されている。後側の支持板２４，２５の重複部には、ピン２９が貫通し、支持脚２０側で前側の支持板２２には、上記ピン２９を回転中心とする円弧形の長溝２２ａが形成されている。係る長溝２２ａと、軸受部２１側で前側の支持板２３とには、ボルト２６が水平に貫通し、その雄ネジ部に図示しない蝶ナットが締結されている。
そのため、支持脚２０を所望の長さにすべく前記のようにスライドした際に、ボルト２６を緩め且つピン２９を回転中心として、図４中のカーブした矢印で示すように、軸受部２１および方向自在輪２８を、支持脚２０の軸方向を含む面（垂直面）に対して回転させ、所望の連結角度にした後、ボルト２６を再締結することにより、方向自在輪２８の滑らかな転動を常に確保できる。
【００２１】
図５，６は、本噴霧装置１のブレーキ系統と、その作用を示す概略図である。
図５に示すように、牽引枠１０を構成するアーム１２の持ち手１３寄りの外側には、垂直方向に沿って回転する回転板３１，３２がピン結合され、これらの先端部間には、水平な操作レバー３３が連結されている。更に、回転板３２の先端部には、側面視がほぼチャンネル形の旋回板３４における前側の下端部が回転可能に取り付けられ、係る旋回板３４における後側の下端部には、ワイヤー３０の一端が結合されている。係るワイヤー３０は、アーム１２に突設したガイド１２ｂを貫通し且つアーム１２の外側に沿って配置され、その他端は、前記枠４に回転可能に取り付けられた正面視がほぼＵ字形の回転棒３６から径方向に突設されたリンク片３７の先端に結合されている。係るリンク片３７の先端には、例えば、前記軸受筒Ｓに他端を結合されたコイルバネ３８の一端が結合され、通常、回転棒３６に対して、図５で時計回り方向に沿った回転モーメントを与えている。そのため、回転棒３６の両端に固定したアングル３９の上端に位置する一対のブレーキ片４０は、通常、図５に示すように、各車輪Ｗの周面から僅かに離れている。
【００２２】
例えば、畝間の凹凸路において本噴霧装置１を引っ張りながら搬送していた際に、作業者がバランスを失いかけることが生じ得る。この際、持ち手１３を掴んでいた片手側の指により、図６に示すように、そ操作レバー３３を手前側に引っ張りつつ回転させると、同図中の矢印で示すように、旋回板３４も回転しつつ前側（図６で右側）に移動し、これに連れてワイヤー３０も前側に引っ張られる。
その結果、コイルバネ３８の圧縮力に抗して、回転棒３６が反時計回り方向に回転することで、図６中左端の矢印で示すように、各ブレーキ片４０が下向きに回転し、それらの先端部が各車輪Ｗの周面に強く接触する。これにより、一対の車輪Ｗの回転を止めたロック状態となる。従って、作業者は、本噴霧装置１全体のバランスを取り戻すことにより、農薬などの噴霧作業を続行することができる。
【００２３】
図７，図８は、農業用噴霧装置１の牽引枠１０を折り畳み、更に補助脚５０を接地させてほぼ垂直の姿勢で保管する場合を示す概略図である。
本噴霧装置１が不使用となった際には、図７中の矢印で示すように、収納部２と車輪Ｗとに対し、持ち手１３を接近させ、且つアーム１１，１２の基部１１ａ，１２ａを回転可能に支持する枠４を回転中心として、牽引枠１０をタンクＴとほぼ平行となるように折り畳む。この際、支持脚２０および方向自在輪２８もタンクＴ寄りとなるように、一定鎖線の矢印で示すように、予め上向きにスライドしておいても良い。
【００２４】
次いで、摘み付きの留め棒４３を図示ないバネ圧に抗して手前側に引っ張り、下側の枠材４４を上側の枠材４２から離脱させ、図８中の矢印で示すように、丁番４６を回転中心として下向きに回転させる。その結果、一対の補助脚５０が摩擦を伴って接地するため、一対の車輪Ｗと共に、本噴霧装置１を縦長のコンパクトに折り畳み、且つ狭いスペースで保管できる。また、係る折り畳んだ姿勢で、収納部２からタンクＴを取り出して、新たなタンクＴと交換することもできる。
尚、折り畳み状態を保つため、互いに接近した収納部２と牽引枠１０とを拘束する止め具を設けても良い。また、枠材４２，４４は、丁番４６との摩擦で開閉しているが、補助脚５０の接地状態を確実に保つため、図８のように、互いに開いた枠材４２，４４間に、上下一対のリンク４７，４８をピン結合した折り畳み式のステイを配置しても良い。あるいは、枠材４２，４４が離れる方向に圧力を加える捻りバネ（図示せず）を前記丁番４６に巻き付けても良い。
更に、上記折り畳み状態から図１〜図３に示した使用状態にするには、前記の逆の手順で枠材４４を枠材４２の真下に折り畳み、これらの前側の垂直片を貫通する留め棒４３で固定した後、牽引枠１０を収納部２から引き離すように回転すれば良い。
【００２５】
図９，図１０は、農業用噴霧装置１の使用状態を示す概略図である。
図９，図１０に示すように、左右の畝ｕ，ｕに挟まれた凹凸路Ｒの長手方向に沿って、一対の車輪Ｗと方向自在輪２８との３輪を接地させ、牽引枠１０の持ち手１３を片手で掴み、図９で右側（前側）に本噴霧装置１を引っ張りつつ搬送する状態で、残りの片手でタンクＴから延びたホースＨ先端のノズルＮの基部を握り、一対の畝ｕ，ｕの一方または双方の作付け部に対し、農薬または肥料を順次噴霧する。この間において、本噴霧装置１は、上記３輪が凹凸路Ｒに必ず接地しているため、少ない労力で噴霧作業を効率良く確実に行うことができる。
尚、図９では、作業者は、本噴霧装置１の側に顔や胸などを向けているが、顔や胸などを右側（前側）に向け、身体の後に本噴霧装置１を位置させ、例えば、キャリーバックのように、引っ張りつつ搬送する状態で噴霧作業を行っても良い。
また、作業者は、予め自己の身長や体格に合わせて、支持脚２０をパイプ１７に対してスライドさせ、牽引枠１０の高さを調整しておくことが望ましい。
【００２６】
更に、例えば、一対の車輪Ｗと方向自在輪２８の何れかが、凹凸路Ｒの凹み内に嵌まり込み、牽引枠１０の持ち手１３を引くだけでは、本噴霧装置１が動きにくくなくなったり、あるいはタンクＴが傾いてバランスを崩すおそれが生じる場合がある。この場合、直ちに操作レバー３３を持ち手１３側に引き、一対の車輪Ｗにブレーキ片４０を当接させて停止状態とすることで、容易にバランスを取り戻すことができる。従って、作業者の安全が図れると共に、農薬や肥料の不用意な噴霧ないし散逸を阻止することも可能となる。
尚、前記車輪Ｗのブレーキ状態を保つため、アーム１２の内側に設けたロック片３５を上向きに回転させ、その中間に突設した爪片３５ａを操作レバー３３に巻き付けても良い。また、噴霧作業の前後や離れた場所の田畑に移動する際は、ほぼ垂直な姿勢としたノズルＮの中間部と基部を、収納部２の後ろに設けた箱９および支え枠８ａ内に収容することで、ホースＨを含めて、本噴霧装置１を片手で楽に搬送することができる。
【００２７】
本考案は、以上において説明した形態に限定されるものではない。
例えば、前記一対の車輪Ｗ間の間隔は、変更可能であっても良い。
また、前記収納部は、底面および四つの側面からなる箱体状であっても良い。
更に、前記収納部は、前記タンクＴのほかに、収穫した野菜や取り除いた雑草などを収納するスペースを併有するものとしても良い。
また、前記タンクＴは、例えば、肥料を充填したタンクと、農薬を充填したタンクとの２種類以上の独立したタンクとしても良い。
更に、前記牽引枠１０を構成する一対のアーム１１，１２は、例えば、入れ子式の構造とし、軸方向に沿って伸縮可能としても良い。
加えて、前記補助脚５０は、一個としても良い。また、係る補助脚５０は、前記一対の枠材４２，４４に限らず、一対のアーム１１，１２間に取り付けた任意の構成部材から任意の機構を介して、昇降可能とされていても良い。
【産業上の利用可能性】
【００２８】
本考案によれば、比較的小規模な兼業農家や個人菜園において、老若男女を問わず、少ない労力で容易且つ確実に、農薬や肥料の噴霧を効果的に行える。
【符号の説明】
【００２９】
１……………農業用噴霧装置
２……………収納部
１０…………牽引枠
１１，１２…アーム
１３…………持ち手
２０…………支持脚
２１…………軸受部
２８…………方向自在輪
３０…………ワイヤー
３３…………操作レバー
３６…………回転棒
３７…………リンク片
４０…………ブレーキ片
５０…………補助脚
Ｗ……………車輪
ｓ……………回転軸
Ｔ……………タンク
【図１】
0003161267.tif 000003
【図２】
0003161267.tif 000004
【図３】
0003161267.tif 000005
【図４】
0003161267.tif 000006
【図５】
0003161267.tif 000007
【図６】
0003161267.tif 000008
【図７】
0003161267.tif 000009
【図８】
0003161267.tif 000010
【図９】
0003161267.tif 000011
【図１０】
0003161267.tif 000012
【手続補正書】
【提出日】平成22年4月14日(2010.4.14)
【手続補正１】
【補正対象書類名】実用新案登録請求の範囲
【補正対象項目名】全文
【補正方法】変更
【補正の内容】
【実用新案登録請求の範囲】
【請求項１】
回転軸が共通する一対の車輪と、
上記一対の車輪の上方に取り付けられ、タンクを収納できる収納部と、
上記収納部の下方または側面から上記回転軸と直交する斜め上の方向に延びた一対のアーム、および該アームの先端に配置された持ち手を含む牽引枠と、
上記牽引枠における一対のアーム間に取れ付けられた方向自在輪と、を含む、
ことを特徴とする農業用噴霧装置。
【請求項２】
前記方向自在輪は、前記牽引枠における一対のアーム間において、垂直方向または斜め下方向に沿ってスライド可能な支持脚を介して取り付けられている、
ことを特徴とする請求項１に記載の農業用噴霧装置。
【請求項３】
前記方向自在輪の軸受部は、前記支持脚の軸方向を含む面に対して、傾動可能である、
ことを特徴とする請求項２に記載の農業用噴霧装置。
【請求項４】
前記牽引枠の持ち手付近には、水平方向に回転可能な操作レバーが配置され、該レバーに一端が結合されたワイヤの他端は、前記車輪に周面に接触および離脱可能なブレーキ片を取り付けた回転棒に固定されたリンク片に結合されている、
ことを特徴とする請求項１乃至３の何れか一項に記載の農業用噴霧装置。
【請求項５】
前記牽引枠は、前記収納部に対して接近および離間するように垂直方向に沿って回転可能であると共に、上記牽引枠における一対のアーム間には、垂直方向に沿って旋回可能な補助却が取り付けられている、
ことを特徴とする請求項１乃至４の何れか一項に記載の農業用噴霧装置。
【手続補正２】
【補正対象書類名】明細書
【補正対象項目名】０００９
【補正方法】変更
【補正の内容】
【０００９】
また、本考案には、前記方向自在輪は、前記牽引枠における一対のアーム間において、垂直方向または斜め下方向に沿ってスライド可能な支持脚を介して取り付けられている、農業用噴霧装置（請求項２）も含まれる。
これによれば、方向自在輪を支持する支持脚を牽引枠の各アームに対してスライドさせ、方向自在輪と牽引枠における一対のアームとの距離（高さ）を容易に調整することができる。従って、噴霧作業を行う人の身長や体格などに合わせて、牽引枠の持ち手の高さを変更できると共に、重量なタンクとのバランスを取りつつ、安全且つ快適に噴霧祖業を行うことも可能となる。
【手続補正３】
【補正対象書類名】明細書
【補正対象項目名】００１０
【補正方法】変更
【補正の内容】
【００１０】
更に、本考案には、前記方向自在輪の軸受部は、前記支持脚の軸方向を含む面（垂直面）に対して、傾動可能である、農業用噴霧装置（請求項３）も含まれる。
これによれば、支持脚を牽引枠のアームに対してスライドさせ、牽引枠の高さを調整した際に、垂直方向に対する方向自在輪の軸受部の取り付け角度を変更できるので、かかる方向自在輪の滑らかな転動を常に確保することができる。
【手続補正書】
【提出日】平成22年5月21日(2010.5.21)
【手続補正１】
【補正対象書類名】実用新案登録請求の範囲
【補正対象項目名】請求項５
【補正方法】変更
【補正の内容】
【請求項５】
前記牽引枠は、前記収納部に対して接近および離間するように垂直方向に沿って回転可能であると共に、上記牽引枠における一対のアーム間には、垂直方向に沿って旋回可能な補助脚が取り付けられている、
ことを特徴とする請求項１乃至４の何れか一項に記載の農業用噴霧装置。
【手続補正２】
【補正対象書類名】明細書
【補正対象項目名】００１２
【補正方法】変更
【補正の内容】
【００１２】
更に、本考案には、前記牽引枠は、前記収納部に対して接近および離間するように垂直方向に沿って回転可能であると共に、上記牽引枠における一対のアーム間には、垂直方向に沿って旋回可能な補助脚が取り付けられている、農業用噴霧装置（請求項５）も含まれる。
これによれば、本噴霧装置の不使用時に、牽引枠を収納部に対して接近するように回転（折り畳み）し、且つその姿勢で補助脚を接地させることで、農業用噴霧装置をコンパクトにし、狭いスペースで容易に保管することができる。この際、前記支持脚をスライドさせ、併せて方向自在車輪が突出しないようにもできる。
尚、前記補助却は、１個あるいは２個以上としても良い。